(57)【要約】      （修正有）【課題】ペットの糞を処理するための処理紙および処理袋を容易に取り出すことができるペット散歩用品携行用袋を提供する。【解決手段】本発明のペット散歩用品携行用袋１は、ペットの糞を処理するための処理紙の束および処理袋の束を収容する袋本体１０を備える。袋本体１０の表面および周縁部には、処理紙を取り出すための第１取出口１２と、処理袋を取り出すための第２取出口１７とが互いに離間して形成されている。【選択図】図１
2018074939.tif 000002
【特許請求の範囲】
【請求項１】
ペットの糞を処理するための処理紙の束および処理袋の束を収容することが可能な袋本体を備え、
前記袋本体の表面および周縁部には、前記処理紙を取り出すための第１取出口と、前記処理袋を取り出すための第２取出口とが互いに離間して形成されているペット散歩用品携行用袋。
【請求項２】
前記袋本体と一体にまたは別体に設けられ、前記処理袋の束を形態を保った状態で支持する処理袋用支持具をさらに備える請求項１に記載のペット散歩用品携行用袋。
【請求項３】
前記袋本体は、表面に前記第１取出口が形成されている第１本体部材と、周縁部に前記第２取出口が形成されている第２本体部材とから構成され、
前記第２取出口は、前記周縁部を切欠くことにより形成された凹状を呈しており、
前記第２本体部材は、前記第２取出口が前記第１本体部材の周縁から外方へずれて位置するようにして前記第１本体部材の裏面に取り付けられている請求項１または２に記載のペット散歩用品携行用袋。
【請求項４】
前記袋本体は、表面に前記第１取出口が形成されている第１本体部材と、前記処理袋の束を形態を保った状態で支持する処理袋用支持具とから構成され、
前記処理袋用支持具は、前記処理袋の束を挟持可能な折り曲げ形状を有しており、
前記処理袋用支持具の折曲部には、前記折曲部を切欠くことにより凹状の前記第２取出口が形成されており、
前記処理袋用支持具は、前記第２取出口が前記袋本体の周縁部に位置するように前記第１本体部材の裏面に取り付けられている請求項１に記載のペット散歩用品携行用袋。
【発明の詳細な説明】
【技術分野】
【０００１】
本発明は、ペット散歩用品携行用袋に関するものである。
【背景技術】
【０００２】
ペットの散歩では糞の処理が必要となる。糞の処理は、ティッシュ等の柔らかい処理紙で糞を掴み、ポリ袋またはビニール袋といった合成樹脂製の処理袋に入れて持ち帰ることが多く行われている。そのため、ペットを散歩に連れて行く飼い主は、常にペットの糞を処理するための処理紙および処理袋を持ち歩いている。
【０００３】
処理紙および処理袋を鞄の中に収容して持ち歩くと、使用時に鞄の中から探す必要があり、手間がかかる。特に多数のペットを連れて散歩に行く場合、両手が塞がっていることが多く、ますます鞄の中から処理紙および処理袋を取り出すのが大変である。そのような不便さを解消するため、処理紙を容易に取り出せる鞄が開発されている（例えば、特許文献１）。
【先行技術文献】
【特許文献】
【０００４】
【特許文献１】特開２００４−６５３６８号公報
【発明の概要】
【発明が解決しようとする課題】
【０００５】
しかしながら、特許文献１の鞄では、処理紙は容易に取り出せるものの、処理袋は容易には取り出すことができず、依然として不便であるという問題が生じていた。
【０００６】
本発明は、上記した課題を解消するためになされたもので、ペットの糞を処理するための処理紙および処理袋を容易に取り出すことができるペット散歩用品携行用袋を提供することを目的とする。
【課題を解決するための手段】
【０００７】
本発明のペット散歩用品携行用袋は、ペットの糞を処理するための処理紙の束および処理袋の束を収容する袋本体を備える。袋本体の表面および周縁部には、処理紙を取り出すための第１取出口と、処理袋を取り出すための第２取出口とが互いに離間して形成されている。
【０００８】
本発明のペット散歩用品携行用袋によれば、袋本体に、ペットの糞を処理するための処理紙および処理袋をそれぞれ取り出すことができる第１取出口および第２取出口が異なる位置に形成されている。この第１取出口および第２取出口で処理紙および処理袋を摘んで引き出すだけで、処理紙および処理袋が取り出せるため、処理紙および処理袋を探す必要がなく、処理紙および処理袋を容易に取り出すことができる。
【０００９】
好ましい実施形態のペット散歩用品携行用袋においては、袋本体と一体にまたは別体に設けられ、処理袋の束を形態を保った状態で支持する処理袋用支持具をさらに備える。
【００１０】
このような構成とすることで、合成樹脂製である処理袋の束が折れ曲がることなく、形態を保った状態で支持される。これにより、処理袋の枚数が少なくなってきた場合でも、処理袋が処理袋用支持具によってしっかりと支持され、処理袋を最後まで取り出し易くすることができる。
【００１１】
また、好ましい実施形態のペット散歩用品携行用袋においては、袋本体は、表面に第１取出口が形成されている第１本体部材と、周縁部に第２取出口が形成されている第２本体部材とから構成される。第２取出口は、周縁部を切欠くことにより形成された凹状を呈しており、第２本体部材は、第２取出口が第１本体部材の周縁から外方にずれて位置するようにして第１本体部材の裏面に取り付けられている。
【００１２】
このような構成とすることで、袋本体の周縁部に位置する第２取出口が、第１本体部材から外側に飛び出した位置に配置されるため、第２取出口において処理袋が摘み易くなり、処理袋をより取り出し易くすることができる。
【００１３】
別の好ましい実施形態のペット散歩用品携行用袋においては、袋本体は、表面に第１取出口が形成されている第１本体部材と、処理袋の束を形態を保った状態で支持する処理袋用支持具とから構成される。処理袋用支持具は、処理袋の束を挟持可能な折り曲げ形状を有しており、処理袋用支持具の折曲部には、折曲部を切欠くことにより凹状の第２取出口が形成されている。処理袋用支持具は、第２取出口が袋本体部材の周縁部に位置するように第１本体部材の裏面に取り付けられている。
【発明の効果】
【００１４】
本発明のペット散歩用品携行用袋によると、ペットの糞を処理するための処理紙および処理袋を容易に取り出すことができる。
【図面の簡単な説明】
【００１５】
【図１】本発明の第１実施形態のペット散歩用品携行用袋の正面図で、カバーを開いた状態を示す図である。
【図２】図１のペット散歩用品携行用袋に、処理紙の束および処理袋の束を収容した状態を示す図である。
【図３】本発明の第１実施形態のペット散歩用品携行用袋の斜視図である。
【図４】本発明の第１実施形態のペット散歩用品携行用袋の別角度の斜視図である。
【図５】本発明の第１実施形態のペット散歩用品携行用袋の正面図である。
【図６】本発明の第１実施形態のペット散歩用品携行用袋の背面図である。
【図７】本発明の第１実施形態のペット散歩用品携行用袋の平面図である。
【図８】本発明の第１実施形態のペット散歩用品携行用袋の底面図である。
【図９】本発明の第１実施形態のペット散歩用品携行用袋の右側面図である。
【図１０】本発明の第１実施形態のペット散歩用品携行用袋の左側面図である。
【図１１】図５のＡ−Ａ線端面図である。
【図１２】本発明の第１実施形態のペット散歩用品携行袋の変形例を示す斜視図である。
【図１３】図１２のペット散歩用品携行用袋の処理袋用支持具を展開して示す図である。
【図１４】本発明の第２実施形態のペット散歩用品携行用袋の斜視図である。
【図１５】本発明の第３実施形態のペット散歩用品携行用袋の斜視図である。
【発明を実施するための形態】
【００１６】
以下、本発明に係るペット散歩用品携行用袋の実施形態について、添付図面を参照して説明する。本発明のペット散歩用品携行用袋１は、ペットの散歩に必要な散歩用品をひとまとめにして携行するための袋である。以下では、図１に基づいて上下左右を定義する。すなわち、図１において、後述する開閉具１３，１８の持ち手が示されている方が右側、持ち手が示されていない方が左側となる。また、図１において手前側を表側とし、奥側を裏側とする。この点は、図１の実施形態のみに限らず、他の実施形態についても同義である。
【００１７】
まず、図１〜図１１を参照して、本発明のペット散歩用品携行用袋１の第１実施形態について説明する。ペット散歩用品携行用袋１は、ペットの糞を処理するための処理紙Ｐの束および処理袋Ｂの束を収容する袋本体１０を備えている。処理紙Ｐとしては、ティッシュペーパー等の柔らかい紙を用いることができる。また、処理袋Ｂとしては、ポリ袋またはビニール袋といった合成樹脂製の袋を用いることができる。これらは複数枚が束になって一般に市販されているものを用いることができる。
【００１８】
図３および図４に示すように、袋本体１０は、処理紙Ｐの束を収容する第１本体部材１１と、処理袋Ｂの束を収容する第２本体部材１６とから構成されている。
【００１９】
第１本体部材１１は、市販品の処理紙Ｐが収容できる大きさおよび形状で形成されている。具体的には、第１本体部材１１は、正面視矩形状で、複数枚が束になることで所定の厚さを有する処理紙Ｐが収容できるよう、マチを有する袋状に形成されている。この第１本体部材１１は、布、皮等によって形成されている。
【００２０】
第１本体部材１１の表面１１ａには、処理紙Ｐを取り出すための第１取出口１２が形成されている。第１取出口１２は、切り込みによって形成されており、処理紙Ｐが取り出せる大きさとなっている。また、第１本体部材１１は、上側の周縁部１１ｂに処理紙Ｐの束を入れるための開口部１１ｄ（図１１参照）を有している。開口部１１ｄには、開口部１１ｄを開閉するための開閉具１３が取り付けられている。本実施形態では、開閉具１３として線ファスナーを用いている。なお、開閉具１３には、線ファスナー以外にも、ボタン、スナップボタン、フック、面ファスナー等、開口を開閉できる既知の任意の開閉具を用いることができる。
【００２１】
第２本体部材１６は、市販品の処理袋Ｂの束が収容できる大きさおよび形状で形成されている。具体的には、第２本体部材１６は、正面視矩形状の袋状に形成されている。この第２本体部材１６は、布、皮等によって形成されている。
【００２２】
第２本体部材１６の下側の周縁部１６ｂには、処理袋Ｂを取り出すための第２取出口１７が形成されている。第２取出口１７は、第２本体部材１６の下側の周縁部１６ｂを切欠くことにより形成されており、正面視半円形の凹状を呈している。また、第２本体部材１６は、上側の周縁部１６ｂに処理袋Ｂの束を入れるための開口部１６ｄ（図１１参照）を有している。開口部１６ｄには、開口部１６ｄを開閉するための開閉具１８が取り付けられている。本実施形態では、開閉具１８として線ファスナーを用いている。なお、開閉具１８には、線ファスナー以外にも、ボタン、スナップボタン、フック、面ファスナー等、開口を開閉できる既知の任意の開閉具を用いることができる。
【００２３】
第１本体部材１１と第２本体部材１６とは、第１本体部材１１の裏面１１ｃ（図１１等参照）に第２本体部材１６の表面１６ａを、縫合、接着等することによって取り付けられている。このとき、第２本体部材１６は、第２取出口１７が第１本体部材１１の周縁部１１ｂから外方にずれて位置するようにして取り付けられることが好ましい。具体的には、本実施形態においては、正面視において、第１本体部材１１の下側に第２取出口１７がずれて位置するように取り付けられている。このとき、第１本体部材１１と第２本体部材１６とは、第１本体部材１１の裏面１１ｃの左右両側および下側の周縁部分と、第２本体部材１６の表面１６ａの左右両側および下側の周縁部分とで接合されることが好ましい。このようにして第１本体部材１１と第２本体部材１６とを接合することで、第１本体部材１１と第２本体部材１６との間に、上端が開口した空間ができ、当該空間にペットが水を飲むときに使用する水入れ等を収容することができる。
【００２４】
このようにして第１本体部材１１と第２本体部材１６とが接合されることで袋本体１０が形成されている。また、このとき、第１本体部材１１の表面１１ａが袋本体１０の表面１０ａとなり、第１本体部材１１の周縁部１１ｂおよび第２本体部材１６の周縁部１６ｂが袋本体の周縁部１０ｂとなる。
【００２５】
ペット散歩用品携行用袋１は、袋本体１０に取り付けられるカバー２０をさらに備えている。カバー２０は、処理紙Ｐの取出口である第１取出口１２を覆うことができる大きさおよび形状を有し、布、皮等によって形成されている。本実施形態では、カバー２０は、袋本体１０と同等の幅を有し、第２本体部材１６の裏面１６ｃに、縫合、接着等によって取り付けられ、第１本体部材１１の表面１１ａを覆うことができる長さを有する長方形状を呈している。ここでも、第２本体部材１６とカバー２０とは、第２本体部材１６の裏面１６ｃの左右両側および下側の周縁部分と、カバー２０の第２本体部材１６に取り付けられる部分の左右両側および下側の周縁部分とで接合されることが好ましい。このようにして第２本体部材１６とカバー２０とを接合することで、第２本体部材１６とカバー２０との間に、上端が開口した空間ができ、当該空間にペットが水を飲むときに使用する水入れ等を収容することができる。
【００２６】
カバー２０と第１本体部１１の表面１１ａには、互いに対向する位置に、カバー２０を第１本体部１１に係止するための係止具（図示せず）が取り付けられている。係止具としては、例えばボタン、スナップボタン、フック、面ファスナー、バックル等を用いることができる。係止具は、片手でカバー２０を容易に開閉できるよう、ワンタッチで操作できるものが好ましい。このようにカバー２０を設けることで、雨等で処理紙Ｐが濡れることを防止することができる。
【００２７】
また、ペット散歩用品携行用袋１は、袋本体１０に取り付けられるペットボトル収容部３０をさらに備えている。ペットボトル収容部３０は、第２本体部材１６の裏面１６ｃに取り付けられたカバー２０に設けられている。なお、カバー２０が第２本体部材１６の裏面１６ｃの上部しか覆わない場合には、ペットボトル収容部３０は、第２本体部材１６の裏面１６ｃに設けられてもよい。
【００２８】
具体的には、ペットボトル収容部３０は、収容部本体３１と、マチ部３２と、弾性部材３３とから構成されている。収容部本体３１は、第２本体部材１６の裏面１６ｃよりも小さい面積を有する長方形状を呈している。マチ部３２は、収容部本体３１の上下方向の長さと同等の高さを有する二等辺三角形状を呈している。二等辺三角形の底辺が上側に位置するように配置したマチ部３２の底辺を除く二辺のうちの一辺が、収容部本体３１の左右両端に縫合、接着等によって取り付けられ、収容部本体３１の下端およびマチ部３２の底辺を除く二辺のうちの他辺が、第２本体部材１６の裏面１６ｃに縫合、接着等によって取り付けられることで、ペットボトル収容部３０が袋本体１０に取り付けられている。弾性部材３３としては、一般に裁縫用として用いられる平ゴム等を用いることができる。このような弾性部材３３は、収容部本体３１の上部に左右方向に延びて設けられ、両端部が第２本体部材１６の裏面１６ｃに縫合、接着等することによって取り付けられている。
【００２９】
このような構成とすることで、ペットボトル収容部３０は、ペットボトルを収容しない場合は、第２本体部材１６と収容部本体３１とが接触するように折り畳めることができ、ペット散歩用品携行用袋１を使用するのに邪魔にならない。また、ペットボトルを収容する場合は、マチ部３２を広げることで収容部本体３１と第２本体部材１６との間にペットボトルを入れることができ、かつ、弾性部材３３の付勢力によって収容部本体３１の上端部は第２本体部材１６側へと引き付けられるため、ペットボトルを安定して保持することができる。これにより、ペット散歩用品携行用袋１は、ペットの散歩にペットボトルを持ち歩きたい場合にも最適に用いることができる。
【００３０】
また、ペット散歩用品携行用袋１は、袋を、ショルダーバッグの形態、または、ウエストポーチの形態として用いるための、第１のカン４１、第２のカン４２またはベルト通し４３をさらに備えている。
【００３１】
図３等に示すように、第１のカン４１は、２個１組で用いられ、第２本体部材１６の上方において、カバー２０の左右両端から外側に突き出るように取り付けられている。第２のカン４２は、２個１組で用いられ、カバー２０を閉じた状態（図３等の状態）で、カバー２０の上側に突き出るように、カバー２０の左右両側に取り付けられている。第１のカン４１および第２のカン４２としては、一般に市販されており、鞄の持ち手またはショルダーベルトを取り付けるために一般に用いられているＤカン、丸カン、三角カン、角カン等を用いることができる。第１のカン４１および第２のカン４２は、布等を第１のカン４１および第２のカン４２に通し、当該布等をカバー２０に縫合、接着等によって取り付けることで、カバー２０に取り付けられている。両端にフックが取り付けられているショルダーベルト等のフックを第１のカン４１または第２のカン４２に引っ掛けることで、ペット散歩用品携行用袋１をショルダーバックの形態として用いることができる。
【００３２】
ベルト通し４３は、２個１組で用いられ、第２本体部材１６の裏面１６ｃに接合しているカバー２０の左右両側に１個ずつ取り付けられている。ベルト通し４３は、長方形状を呈しており、ベルトを通す隙間を開けて両端を縫合、接着等によりカバー２０に取り付けることで形成されている。本実施形態では、第２のカン４２を取り付けるための布等を、ベルトを通す隙間を開けてカバー２０に取り付けることで、ベルト通し４３を形成している。このベルト通し４３にベルトを通し、ベルトをウエストに巻き付けることで、ペット散歩用品携行用袋１をウエストポーチの形態として用いることができる。なお、カバー２０が第２本体部材１６の裏面１６ｃの上部しか覆わない場合には、ベルト通し４３は、第２本体部材１６の裏面１６ｃに設けられてもよい。
【００３３】
以上のように、本実施形態では、袋本体１０に、ペットの糞を処理するための処理紙Ｐおよび処理袋Ｂをそれぞれ取り出すことができる第１取出口１２および第２取出口１７が異なる位置に形成されている。この第１取出口１２および第２取出口１７で処理紙Ｐおよび処理袋Ｂを摘んで引き出すだけで、処理紙Ｐおよび処理袋Ｂが取り出せるため、処理紙Ｐおよび処理袋Ｂを探す必要がなく、処理紙Ｐおよび処理袋Ｂを容易に取り出すことができる。また、第２取出口１７が、第１本体部材１１から外側に飛び出した位置に配置されるため、第２取出口１７において処理袋Ｂが摘み易くなり、処理袋Ｂをより取り出し易くすることができる。
【００３４】
上記第１実施形態は、図１２および図１３に示す変形例のように変更が可能である。すなわち、ペット散歩用品携行用袋１は、処理袋Ｂの束を形態を保った状態で支持する処理袋用支持具５０、および、処理紙Ｐの束を第１取出口１２に押し付けるように支持する処理紙用支持具６０をさらに備えることができる。なお、図１２は、処理袋用支持具５０を第２本体部材１６から取り出した状態を示している。
【００３５】
図１２および図１３に示すように、処理袋用支持具５０は、支持具本体５１と、支持具本体５１を折り曲げた状態で保持するバンド５２とを備えている。支持具本体５１は、中央で折り曲げ可能な構成となっており、折り曲げた状態で、処理袋Ｂを挟持することができる。このとき、支持具本体５１は、収容状態の処理袋Ｂを覆うことができる大きさとなっている。この支持具本体５１は、２枚の布を重ね合わせ、間にスポンジを挟んだ状態で周辺部を縫製することにより形成されている。支持具本体５１は、折曲部５０ｄに、折曲部５０ｄを切欠くことにより凹状の開口５３が形成されている。このとき開口５３は、処理袋Ｂを挟んで折り曲げ、第２本体部材１６に収容した際に、第２取出口１７に対応する位置に形成されている。スポンジは、開口５３を挟んだ両側に設けられており、開口５３にスポンジが設けられていないことにより、開口５３で支持具本体５１が折り曲げ可能となっている。
【００３６】
また、支持具本体５１は、折り曲げた際に互いに対向する位置に磁石５４が設けられている。磁石５４は、支持具本体５１の幅方向（図１３における左右方向）に延びて設けられている。本実施形態では、開口５３を挟んだ片側に２個、つまり、２対の磁石５４が設けられている。
【００３７】
バンド５２としては、一般に裁縫用として用いられる平ゴム等を用いることができる。バンド５２は、輪状に形成されており、支持具本体５１に引っ掛ける構成となっている。
【００３８】
図１２に示すように、処理紙用支持具６０は、第１本体部材１１に一体に設けられている。処理紙用支持具６０としては、一般に裁縫用として用いられる平ゴム等を用いることができる。この平ゴムを、第１取出口１２と対向する位置で、左右方向に延びるように配置し、両端を第１本体部材１１に縫合、接着等することによって、処理紙用支持具６０は第１本体部材１１に取り付けられている。
【００３９】
このように、処理袋Ｂの束を形態を保った状態で支持する処理袋用支持具５０を設けることで、合成樹脂製である処理袋Ｂの束が折れ曲がることなく、形態を保った状態で支持される。これにより、処理袋Ｂの枚数が少なくなってきた場合でも、処理袋Ｂが処理袋用支持具５０によってしっかりと支持され、処理袋Ｂを最後まで取り出し易くすることができる。このとき、特に処理袋用支持具５０にスポンジを設けておくことで、スポンジの復元力によって、処理袋Ｂの枚数が減ってきた場合でも、処理袋Ｂと第２本体部材１６との隙間が埋められ、より処理袋Ｂを支持し易くなる。また、バンド５２および磁石５４を設けておくことで、処理袋Ｂの枚数が減ってきた場合でも、バンド５２を構成する平ゴム等の弾性力および磁石５４の吸引力によって支持具本体５１が処理袋Ｂを挟む方向に押圧され、処理袋Ｂの束が折り曲がらないように処理袋用支持具５０で保持することができる。
【００４０】
また、処理紙Ｐの束を第１取出口１２に押し付けるように支持する処理紙用支持具６０を設けることで、処理紙Ｐの枚数が減ってきた場合でも、処理紙用支持具６０を構成する平ゴム等の弾性力によって、処理紙Ｐを第１取出口１２に向けて押し付けることができる。これにより、処理紙Ｐが第１取出口１２の内側に留まってしまうことを抑制でき、処理紙Ｐを最後まで取り出し易くすることができる。
【００４１】
上記第１実施形態の変形例では、処理袋用支持具５０のバンド５２は輪状に形成されているが、必ずしもこの形態に限られない。例えば、バンド５２は、リボン状に形成されており、バンド５２の両端を支持具本体５１の幅方向の両端部にそれぞれ縫合、接着等することで取り付ける形態としてもよい。そして、支持具本体５１を折り曲げた際に、バンド５２が取り付けられていない側の支持具本体５１にバンド５２を引っ掛けることで、支持具本体５１を折り曲げた状態をバンド５２で保持できる構成としてもよい。
【００４２】
また、上記第１実施形態の変形例では、バンド５２および磁石５４を備えているが、バンド５２および磁石５４は、いずれか一方のみを備える構成としてもよいし、両方とも備えない構成としてもよい。また、磁石５４の形態、配置位置、配置個数も、図１３の実施形態に限定されない。また、バンド５２および磁石５４に代わって、ボタン、フック等、支持具本体５１を折り曲げた状態で保持できる任意の手段を用いてもよい。いずれの場合でも、支持具本体５１を折り曲げた状態で、支持具本体５１によって処理袋Ｂを形態を保った状態で支持できればよい。また、支持具本体５１は、内部にスポンジを備える構成であるが、必ずしもこの構成に限られず、例えば、プラスチック板、金属板等の保形性の高い板材により形成してもよい。
【００４３】
また、上記第１実施形態の変形例では、処理袋用支持具５０は、袋本体１０と別体として設けられ、袋本体１０から取り出し可能な支持具本体５１により形成しているが、必ずしもこの構成に限られず、例えば、処理袋用支持具５０は、袋本体１０と一体に設けられてもよい。例えば、処理袋用支持具５０は、左右方向に延びるプラスチック板、ベニア板等の薄くて保形性を有する板材の両端部を、袋本体１０の処理袋Ｂを収容する部分、本実施形態において第２本体部材１６の内部に取り付けることによって構成されてもよい。このとき、処理袋用支持具５０は、収容状態の処理袋Ｂの全体を覆う必要はなく、処理袋Ｂを形態を保った状態で支持できる程度に処理袋Ｂを覆えばよい。このような処理袋用支持具５０の場合には、処理袋Ｂを第２本体部材１６に収容する際に、処理袋用支持具５０と袋本体１０（第２本体部材１６）との間に処理袋Ｂを挟む、または、処理袋用支持具５０に折り曲げた処理袋Ｂを引っ掛けるようにして収容することで、処理袋Ｂの束は処理袋用支持具５０によって、形態を保った状態で支持される。
【００４４】
また、上記第１実施形態およびその変形例では、ペット散歩用品携行用袋１は、カバー２０、ペットボトル収容部３０、第１のカン４１、第２のカン４２、および、ベルト通し４３を備えているが、これらの構成は必ずしも必要ではない。いずれか１または複数の部材を備える構成としてもよいし、全く備えない構成としてもよい。
【００４５】
また、上記第１実施形態およびその変形例では、第１本体部材１１の裏面１１ｃに第２本体部材１６の表面１６ａが接合させて袋本体１０を形成し、第１本体部材１１の表面１１ａに第１取出口１２が形成され、第２本体部材１６の周縁部１６ｂに第２取出口１７が形成されているが、必ずしもこの形態に限られない。例えば、第１本体部材１１の周縁部１１ｂに第１取出口１２が形成され、第２本体部材１６の周縁部１６ｂに第２取出口１７が形成されてもよい。この場合、第１取出口１２は、第２取出口１７と離間した位置に形成されればよい。
【００４６】
また、第２本体部材１６の裏面１６ｃに第１本体部材１１の表面１１ａを接合させて袋本体１０を形成し、第１本体部材１１の周縁部１１ｂに第１取出口１２を形成し、第２本体部材１６の表面１６ａに第２取出口１７を形成してもよい。また、この袋本体１０の場合、第１本体部材１１の周縁部１１ｂに第１取出口１２を形成し、第２本体部材１６の周縁部１６ｂの第１取出口１２と離間する位置に第２取出口１７を形成してもよい。
【００４７】
さらに、第１本体部材１１の表面１１ａと同じ側に表面１６ａが位置するようにして、第１本体部材１１の周縁部１１ｂに第２本体部材１６の周縁部１６ｂを接合させて袋本体１０を形成してもよい。この袋本体１０の場合、第１本体部材１１の表面１１ａに第１取出口１２を形成し、第２本体部材１６の表面１６ａに第２取出口１７を形成することができる。また、この袋本体１０の場合、第２本体部材１６と接合されていない第１本体部材１１の周縁部１１ｂに第１取出口１２を形成し、第１本体部材１１と接合されていない第２本体部材１６の周縁部１６ｂに第２取出口１７を形成することもできる。
【００４８】
次に、図１４を参照して、本発明のペット散歩用品携行用袋１の第２実施形態について説明する。上記第１実施形態と同様の構成については、同一の符号を付し、詳細な説明は省略する。
【００４９】
図１４に示すように、本実施形態のペット散歩用品携行用袋１は、袋本体１０を備えており、袋本体１０が、上記第１実施形態およびその変形例で説明した、処理紙Ｐの束を収容する第１本体部材１１と、処理袋Ｂの束を形態を保った状態で支持する処理袋用支持具５０とから構成されている。上記第１実施形態で説明した通り、第１本体部材１１の表面１１ａには、処理紙Ｐを取り出すための第１取出口１２が形成されている。また、上記第１実施形態の変形例で説明した通り、処理袋用支持具５０には、折曲部５０ｄに、折曲部５０ｄを切欠くことにより凹状の開口５３が形成されている。本実施形態では、開口５３が処理袋Ｂを取り出すための第２取出口１７となっている。
【００５０】
第１本体部材１１と処理袋用支持具５０とは、第１本体部材１１の裏面１１ｃに処理袋用支持具５０の表面５０ａを、縫合、接着等することによって取り付けられている。このとき、処理袋用支持具５０は、第２取出口１７（開口５３）が第１本体部材１１の周縁部１１ｂから外方にずれて位置するようにして取り付けられることが好ましい。具体的には、本実施形態においては、正面視において、第１本体部材１１の下側に第２取出口１７がずれて位置するように取り付けられている。
【００５１】
このようにして、第１本体部材１１と処理袋用支持具５０とが接合されることで本体１０が形成されている。また、このとき、第１本体部材１１の表面１１ａが本体１０の表面１０ａとなり、第１本体部材１１の周縁部１１ｂおよび処理袋用支持具５０の周縁部５０ｂが本体の周縁部１０ｂとなる。支持具本体５１の折曲部５０ｄが処理袋用支持具５０ｂとなるので、第２取出口１７は袋本体１０の周縁部１０ｂに位置している。
【００５２】
以上のように、本実施形態でも、袋本体１０に、ペットの糞を処理するための処理紙Ｐおよび処理袋Ｂをそれぞれ取り出すことができる第１取出口１２および第２取出口１７が異なる位置に形成されている。この第１取出口１２および第２取出口１７で処理紙Ｐおよび処理袋Ｂを摘んで引き出すだけで、処理紙Ｐおよび処理袋Ｂが取り出せるため、処理紙Ｐおよび処理袋Ｂを探す必要がなく、処理紙Ｐおよび処理袋Ｂを容易に取り出すことができる。また、第２取出口１７が、第１本体部材１１から外側に飛び出した位置に配置されるため、第２取出口１７において処理袋Ｂが摘み易くなり、処理袋Ｂをより取り出し易くすることができる。
【００５３】
また、本実施形態では、処理袋Ｂの束を形態を保った状態で支持する処理袋用支持具５０を設けていることで、合成樹脂製である処理袋Ｂの束が折れ曲がることなく、形態を保った状態で支持される。これにより、処理袋Ｂの枚数が少なくなってきた場合でも、処理袋Ｂが処理袋用支持具５０によってしっかりと支持され、処理袋Ｂを最後まで取り出し易くすることができる。
【００５４】
上記第２実施形態においても、処理袋用支持具５０は、上記第１実施形態の変形例で示したのと同様の変形が可能である。また、上記第２実施形態では、ペット散歩用品携行用袋１は、処理紙用支持具６０を備える構成となっているが、処理紙用支持具６０を備えない構成としてもよい。
【００５５】
また、上記第２実施形態では、ペット散歩用品携行用袋１は、カバー２０、ペットボトル収容部３０、第１のカン４１、第２のカン４２、および、ベルト通し４３を備えていないが、上記第１実施形態と同様に、これらの構成のいずれか１もしくは複数、または、全てを備える構成としてもよい。このとき、ペットボトル収容部３０、第１のカン４１、第２のカン４２、および、ベルト通し４３は、カバー２０を設ける場合には上記第１実施形態で説明したように設けられればよいが、カバー２０を設けない場合には、処理袋用支持具５０の裏面５０ｃに上記第１実施形態で説明したように設けることができる。
【００５６】
また、上記第２実施形態では、第１本体部材１１の裏面１１ｃに処理袋用支持具５０の表面５０ａが接合させて袋本体１０を形成し、第１本体部材１１の表面１１ａに第１取出口１２が形成され、処理袋用支持具５０の周縁部５０ｂ（折曲部５０ｄ）に第２取出口１７（開口５３）が形成されているが、必ずしもこの形態に限られない。例えば、第１本体部材１１の周縁部１１ｂに第１取出口１２が形成され、処理袋用支持具５０の周縁部５０ｂに第２取出口１７が形成されてもよい。この場合、第１取出口１２は、第２取出口１７と離間した位置に形成されればよい。
【００５７】
また、処理袋用支持具５０の裏面５０ｃに第１本体部材１１の表面１１ａを接合させて袋本体１０を形成し、第１本体部材１１の周縁部１１ｂに第１取出口１２を形成し、処理袋用支持具５０の表面５０ａに第２取出口１７を形成してもよい。また、この袋本体１０の場合、第１本体部材１１の周縁部１１ｂに第１取出口１２を形成し、処理袋用支持具５０の周縁部５０ｂの第１取出口１２と離間する位置に第２取出口１７を形成してもよい。
【００５８】
次に、図１５を参照して、本発明のペット散歩用品携行用袋１の第３実施形態について説明する。上記第１実施形態と同様の構成については、同一の符号を付し、詳細な説明は省略する。
【００５９】
図１５に示すように、ペット散歩用品携行用袋１は、袋本体１０を備えている。袋本体１０は、市販品の処理紙Ｐの束および市販品の処理袋Ｂの束が収容できる大きさおよび形状で形成されている。具体的には、袋本体１０は、正面視矩形状で、複数枚が束になることで所定の厚さを有する処理紙Ｐ、および、処理袋用支持具５０によって支持される処理袋Ｂが収容できるよう、マチを有する袋状に形成されている。この袋本体１０は、布、皮等によって形成されている。
【００６０】
袋本体１０には、手前側に処理紙Ｐの束が収容されており、奥側に処理袋Ｂの束が収容されている。袋本体１０の表面１０ａには、処理紙Ｐを取り出すための第１取出口１２が形成されている。第１取出口１２は、切り込みによって形成されており、処理紙Ｐが取り出せる大きさとなっている。また、袋本体１０の下側の周縁部１０ｂには、処理袋Ｂを取り出すための第２取出口１７が形成されている。第２取出口１７は、袋本体１０の下側の周縁部１０ｂを切欠くことにより形成されており、正面視半円形の凹状を呈している。さらに、本体１０は、上側の周縁部１０ｂに、処理紙Ｐの束および処理袋Ｂの束を入れるための開口部（図示せず）を有している。開口部には、開口部を開閉するための開閉具（図示せず）が取り付けられている。開閉具としては、線ファスナー、ボタン、スナップボタン、フック、面ファスナー等、開口を開閉できる既知の任意の開閉具を用いることができる。
【００６１】
以上のように、本実施形態でも、袋本体１０に、ペットの糞を処理するための処理紙Ｐおよび処理袋Ｂをそれぞれ取り出すことができる第１取出口１２および第２取出口１７が異なる位置に形成されている。この第１取出口１２および第２取出口１７で処理紙Ｐおよび処理袋Ｂを摘んで引き出すだけで、処理紙Ｐおよび処理袋Ｂが取り出せるため、処理紙Ｐおよび処理袋Ｂを探す必要がなく、処理紙Ｐおよび処理袋Ｂを容易に取り出すことができる。
【００６２】
また、本実施形態でも、処理袋Ｂの束を形態を保った状態で支持する処理袋用支持具５０を設けていることで、合成樹脂製である処理袋Ｂの束が折れ曲がることなく、形態を保った状態で支持される。これにより、処理袋Ｂの枚数が少なくなってきた場合でも、処理袋Ｂが処理袋用支持具５０によってしっかりと支持され、処理袋Ｂを最後まで取り出し易くすることができる。
【００６３】
上記第３実施形態においても、処理袋用支持具５０は、上記第１実施形態の変形例で示したのと同様の変形が可能である。また、上記第３実施形態では、ペット散歩用品携行用袋１は、処理袋用支持具５０および処理紙用支持具６０を備える構成となっているが、処理袋用支持具５０および処理紙用支持具６０のいずれか一方または両方を備えない構成としてもよい。
【００６４】
また、上記第３実施形態では、ペット散歩用品携行用袋１は、カバー２０、ペットボトル収容部３０、第１のカン４１、第２のカン４２、および、ベルト通し４３を備えていないが、上記第１実施形態と同様に、これらの構成のいずれか１もしくは複数、または、全てを備える構成としてもよい。カバー２０を設ける場合には、カバー２０は、袋本体１０の裏面１０ｃに、縫合、接着等によって取り付けられ、袋本体１０の表面１０ａを覆うように構成される。また、袋本体１０の表面１０ａに係止具（図示せず）を設け、カバー２０に設けられた係止具（図示せず）と係止させることで、カバー２０を自由に開かないようにすることができる。また、ペットボトル収容部３０、第１のカン４１、第２のカン４２、および、ベルト通し４３を設ける場合には、カバー２０を設ける場合には上記第１実施形態で説明したように設けられればよいが、カバー２０を設けない場合には、袋本体１０の裏面１０ｃに上記第１実施形態で説明したように設けることができる。
【００６５】
また、上記第３実施形態では、手前側に処理紙Ｐの束が収容されており、奥側に処理袋Ｂの束が収容されているとともに、袋本体１０の表面１０ａに第１取出口１２が形成され、袋本体１０の周縁部１０ｂに第２取出口１７が形成されているが、必ずしもこの形態に限られない。例えば、手前側に処理袋Ｂの束が収容され、奥側に処理紙Ｐの束が収容されるようにし、袋本体１０の周縁部１０ｂに第１取出口１２を形成し、袋本体１０の表面１０ａに第２取出口１７を形成してもよい。また、処理紙Ｐの束と処理袋Ｂの束を上下または左右に並べて収容し、処理紙Ｐの束および処理袋Ｂの束の収容部の位置に合わせて、袋本体１０の表面１０ａに第１取出口１２および第２取出口１７を互いに離間させて形成されてもよい。また、このように処理紙Ｐの束および処理袋Ｂの束を並べて収容する場合には、袋本体１０の周縁部１０ｂに第１取出口１２および第２取出口１７を互いに離間させて形成されてもよい。
【００６６】
また、上記第３実施形態では、袋本体１０に処理紙Ｐの束および処理袋Ｂの束をまとめて収容しているが、袋本体１０の内部に一体にまたは別体として仕切り板を設け、仕切り板を隔てて形成されるそれぞれの空間に、処理紙Ｐの束および処理袋Ｂの束を収容してもよい。
【００６７】
以上、本発明の実施形態について説明したが、本発明はこの実施形態に限定されるものではなく、その趣旨を逸脱しない限りにおいて、種々の変更が可能である。
【００６８】
例えば、上記各実施形態では、第２取出口１７は、ペット散歩用品携行用袋１の袋本体１０下側の周縁部１０ｂに設けられているが、第２取出口１７の位置はこの位置に限られない。すなわち、第２取出口１７は、例えば、袋本体１０の左側、右側、または、上側のいずれかの周縁部１０ｂに設けられてもよい。また、第２取出口１７は、下側または上側と左側または右側とが交わる角部となる周縁部１０ｂに設けられてもよい。このような場合、第２取出口１７の妨げとならない場所に、処理紙Ｐの束および処理袋Ｂの束を入れるための開口部が設けられればよい。すなわち、開口部も上記各実施形態のように袋本体１０の上側の周縁部１０ｂに設けられる必要はなく、袋本体１０の下側の周縁部１０ｂ、右側の周縁部１０ｂ、左側の周縁部１０ｂ、または、左右両側および下側の周縁部１０ｂ等の任意の場所に設けることができる。これは、上記した変形例の場合で第１取出口１２が本体１０の周縁部１０ｂに設けられている場合も同様である。
【００６９】
また、上記各実施形態では、第１取出口１２は切り込みにより形成しているが、第１取出口１２は必ずしもこの形態に限られない。例えば、市販のティッシュケースに設けられているような略楕円形状、長細い長方形状等、処理紙Ｐを取り出せれば任意の形状の孔を形成することによって第１取出口１２を形成することができる。同様に、第２取出口１７は正面視半円形の切欠きにより形成されているが、例えば、正面視三角形、正面視四角形、正面視長方形等の任意の形の凹状を有する切欠きにより第２取出口１７を形成することができる。また、第２取出口１７は、切り込みにより形成されてもよい。いずれの場合も、処理袋Ｂを取り出せればよい。
【００７０】
また、上記各実施形態では、ペット散歩用品携行用袋１は、ショルダーバッグの形態、または、ウエストポーチの形態として用いることを説明しているが、例えば、袋状のまま用いてもよい。また、ペットボトル収容部３０を備えない場合には、第２本体部材１６の裏面１６ｃ、処理袋用支持具５０の裏面５０ｃ、袋本体１０の裏面１０ｃ、または、カバー２０を、既存の鞄に着脱可能または着脱不能に接合することで、ペット散歩用品携行用袋１を使用することもできる。
【符号の説明】
【００７１】
１      ペット散歩用品携行用袋
１０    袋本体
１０ａ  袋本体の表面
１０ｂ  袋本体の周縁部
１１    第１本体部材
１１ａ  第１本体部材の表面
１１ｂ  第１本体部材の周縁部
１１ｃ  第１本体部材の裏面
１２    第１取出口
１６    第２本体部材
１６ｂ  第２本体部材の周縁部
１７    第２取出口
５０    処理袋用支持具
５０ｄ  処理袋用支持具の折曲部
Ｂ      処理袋
Ｐ      処理紙
【図１】
2018074939.tif 000003
【図２】
2018074939.tif 000004
【図３】
2018074939.tif 000005
【図４】
2018074939.tif 000006
【図５】
2018074939.tif 000007
【図６】
2018074939.tif 000008
【図７】
2018074939.tif 000009
【図８】
2018074939.tif 000010
【図９】
2018074939.tif 000011
【図１０】
2018074939.tif 000012
【図１１】
2018074939.tif 000013
【図１２】
2018074939.tif 000014
【図１３】
2018074939.tif 000015
【図１４】
2018074939.tif 000016
【図１５】
2018074939.tif 000017